(57)【特許請求の範囲】
【請求項１】
カメラと電子閃光装置とからなるカメラシステムにおいて、
前記電子閃光装置の発光プロフィールに関する情報を測定する発光プロフィール測定モードと、前記電子閃光装置を用いて閃光撮影を行う閃光撮影モードとの何れかを設定する操作部と、
前記電子閃光装置の発光動作時に測光した輝度をもとに前記電子閃光装置の前記発光動作時の発光波形を求め、求めた前記発光波形に基づいて、前記電子閃光装置の前記発光プロフィールに関する情報を測定する測定手段と、
前記測定手段により測定された前記発光プロフィールに関する情報を記憶する記憶手段と、
前記発光プロフィール測定モードに設定されているときには、前記測定手段による前記発光プロフィールに関する情報の測定動作および前記記憶手段による前記発光プロフィールに関する情報の記憶動作を実行させ、前記閃光撮影モードに設定されているときには、前記記憶手段により記憶された前記発光プロフィールに関する情報に応じて、前記カメラと前記電子閃光装置とが同調可能な最速のシャッタ速度であるストロボ同調秒時を設定し、且つその設定されたストロボ同調秒時と前記発光プロフィールに関する情報とに基づいて前記電子カメラの露光と前記電子閃光装置の閃光発光とのタイミングを制御する制御手段と
を備えたことを特徴とするカメラシステム。
【請求項２】
請求項１に記載のカメラシステムにおいて、
前記測定手段は、前記カメラの露出用測光手段を用いて、前記発光プロフィールを前記カメラのレンズを介して測定する
ことを特徴とするカメラシステム。
【請求項３】
請求項１又は請求項２に記載のカメラシステムにおいて、
前記発光プロフィールに関する情報には、少なくとも、閃光の発光時間を示す閃光時間情報が含まれる
ことを特徴とするカメラシステム。
【請求項４】
請求項１〜請求項３の何れか１項に記載のカメラシステムにおいて、
前記発光プロフィールに関する情報には、少なくとも、発光開始の指示から発光開始までの遅延時間を示すディレイ時間情報が含まれ、
前記制御手段は、前記ディレイ時間情報に応じて、前記カメラの露光と前記電子閃光装置の発光とのタイミングを制御する
ことを特徴とするカメラシステム。
【請求項５】
請求項１〜請求項４の何れか１項に記載のカメラシステムにおいて、
前記発光プロフィールに関する情報には、少なくとも、閃光の光度がピークを迎えるまでに要す時間を示すピーク到達時間情報が含まれ、
前記制御手段は、前記ピーク到達時間情報に応じて、前記カメラの露光と前記電子閃光装置の発光とのタイミングを制御する
ことを特徴とするカメラシステム。
【請求項６】
請求項１〜請求項３の何れか１項に記載のカメラシステムにおいて、
前記発光プロフィールに関する情報には、少なくとも、発光開始の指示から閃光の光度がピークに達し、さらに、所定の光度に減少するまでに要す時間を示す時間情報が含まれる
ことを特徴とするカメラシステム。
【請求項７】
請求項１〜請求項３の何れか１項に記載のカメラシステムにおいて、
前記発光プロフィールに関する情報には、少なくとも、発光開始から閃光の光度がピークに達し、さらに、所定の光度に減少するまでに要す時間を示す時間情報が含まれる
ことを特徴とするカメラシステム。
【請求項８】
請求項１〜請求項７の何れか１項に記載のカメラシステムにおいて、
前記電子閃光装置として、種類の異なる複数の電子閃光装置を前記カメラに着脱可能である
ことを特徴とするカメラシステム。
【発明の詳細な説明】
【０００１】
【発明の属する技術分野】
本発明は、電子閃光装置（所謂ストロボ装置）を使用可能なカメラシステムに関する。
【０００２】
【従来の技術】
電子閃光装置の発光する閃光の光度は、あるピークを有した山形の波形をしている。
このため、閃光撮影時、カメラのシャッタ速度（露光時間）が速すぎると、閃光の有効部分の全部を露光に利用することができなくなり、露光むらのある画像や露光不足の画像が取得されてしまう可能性がある。
【０００３】
そこで、カメラと電子閃光装置とからなるカメラシステムでは、閃光撮影の性能を示す指標の１つとして、電子閃光装置とカメラとが同調可能な最速のシャッタ速度である「ストロボ同調秒時」が用いられる（なお、同調とは、閃光の有効部分の全部がシャッタ全開時の露光中に出現し終わることを指す。）。
すなわち、ストロボ同調秒時が速いほど、カメラに対するシャッタ速度や絞り値の設定の自由度が高まる。
【０００４】
カメラシステムは、ストロボ同調秒時に対応した動作をしており、例えば、閃光撮影時にシャッタ速度としてユーザが設定可能な速度の最速値を、このストロボ同調秒時に一致させていたり、ストロボ同調秒時よりも高速なシャッタ速度の下ではレリーズ釦が押下できないようになっていたりする。
なお、仮に、ストロボ同調秒時よりも高速なシャッタ速度の下で良好な露出の画像を取得しようとするのであれば、閃光の光度を保つために、所謂「ＦＰ発光」などの消費電力の高い特殊な発光方法を用いなければならない。
【０００５】
本来、ストロボ同調秒時は、電子閃光装置に対する発光開始の指示から閃光の有効部分が出現し終わるまでの時間Ｔｋ（本明細書では、「閃光所要時間」という。）が短いほど速くなり、また、カメラのシャッタの幕速度Ｔｓ１が速いほど速くなる。
図１０は、従来のカメラシステムにおけるストロボ同調秒時を説明する図である。なお、図１０では、カメラの露光制御がフォーカルプレーンシャッタによって行われる場合の例（一般の一眼レフカメラにおける露光制御である。）を示している。
【０００６】
先ず、フォーカルプレーンシャッタの配置位置は、レンズの瞳面に配置されるレンズシャッタのそれと異なり、焦点面（フィルム面）であるので、露光をそのフィルム面の全域に亘り均一にするために、閃光の発光は、シャッタが全開している期間のみに限定される必要がある。このため、電子閃光装置に対する発光開始信号（図１０（２））と発光停止信号（図１０（３））が発行されるのは、何れもシャッタ全開中とされる。
【０００７】
シャッタの幕速度（シャッタ開放開始から全開までの時間）がＴｓ１（図１０（１））であるときには、通常、発光開始信号の発行（図１０（２））は、シャッタ開放開始からＴｓ１だけ後となる。
そして、発光開始信号の発行から若干遅れて、実際の閃光の発光が開始される（図１０（４））。
【０００８】
ここで、閃光の有効部分は、閃光光度がピーク光度を経過してそのピーク光度の１／２の光度になるまでとされる。
よって、閃光所要時間Ｔｋは、発光開始信号の発行（図１０（２））から、閃光光度がピーク光度の１／２になるまで（図１０（５））の時間である。
この閃光の有効部分が露光に利用されるためには、シャッタ閉鎖開始（図１０（６））が、閃光所要時間Ｔｋの終了時以降である必要がある。
【０００９】
したがって、閃光の有効部分の全部が利用されるようなシャッタ速度ＴＶのうち最速のものである、ストロボ同調秒時Ｔ０は、Ｔ０＝Ｔｓ１＋Ｔｋとなる。
なお、図１０では、シャッタ速度ＴＶがストロボ同調秒時Ｔ０に等しい場合を示した。
また、図１１は、従来の電子カメラシステムにおけるストロボ同調秒時を説明する図である。
【００１０】
図１０との相違は、カメラが電子カメラであり、露光制御が電子シャッタによって行われる点である。
電子シャッタによる露光制御は、シャッタの幕速度には影響されない。
したがって、ストロボ同調秒時Ｔ０も、シャッタの幕速度Ｔｓ１に依らず、Ｔ０＝Ｔｋとなる。
【００１１】
ところで、上記した何れのカメラシステムにおいても、電子閃光装置は、撮影用途などに応じて、異なる種類のものに交換される可能性がある。
当然ながら、異なる種類の電子閃光装置の閃光所要時間Ｔｋは、それに使用されているキセノン管の長さなどによって異なる。
因みに、図１０及び図１１にも示したように、長いキセノン管を使用した電子閃光装置Ａの閃光所要時間Ｔｋは、短いキセノン管を使用した電子閃光装置Ｂの閃光所要時間Ｔｋよりも、長くなる傾向にある。
【００１２】
このため、従来のカメラシステムでは、ストロボ同調秒時Ｔ０を、想定される最長の閃光所要時間Ｔｋmaxに応じた値、すなわちＴ０＝Ｔｓ１＋Ｔｋmaxと認識している（なお、電子カメラシステムでは、シャッタの幕速度Ｔｓ１に依らないので、Ｔ０＝Ｔｋmaxであると認識している。）。
【００１３】
【発明が解決しようとする課題】
そのため、従来のカメラシステムでは、閃光所要時間Ｔｋが、Ｔｋmaxよりも短い電子閃光装置が使用された場合には、設定可能なシャッタ速度が必要以上に遅く制限されてしまったり、ＦＰ発光の必要頻度が必要以上に高くなったりする。
【００１４】
また、反対に、閃光所要時間Ｔｋが、想定していたＴｋmaxよりも長い電子閃光装置が使用された場合には、閃光の有効領域がシャッタの後幕の走行と重なり、露光むらのある画像が取得されてしまうことがある。
このように、個々の電子閃光装置の特性が有効に利用されないのは、非効率的である。
【００１５】
そこで本発明の目的は、個々の電子閃光装置の特性に応じた制御を行うことのできるカメラシステムを提供することにある。
【００１６】
本発明のカメラシステムは、カメラと電子閃光装置とからなるカメラシステムにおいて、前記電子閃光装置の発光プロフィールに関する情報を測定する発光プロフィール測定モードと、前記電子閃光装置を用いて閃光撮影を行う閃光撮影モードとの何れかを設定する操作部と、前記電子閃光装置の発光動作時に測光した輝度をもとに前記電子閃光装置の前記発光動作時の発光波形を求め、求めた前記発光波形に基づいて、前記電子閃光装置の前記発光プロフィールに関する情報を測定する測定手段と、前記測定手段により測定された前記発光プロフィールに関する情報を記憶する記憶手段と、前記発光プロフィール測定モードに設定されているときには、前記測定手段による前記発光プロフィールに関する情報の測定動作および前記記憶手段による前記発光プロフィールに関する情報の記憶動作を実行させ、前記閃光撮影モードに設定されているときには、前記記憶手段により記憶された前記発光プロフィールに関する情報に応じて、前記カメラと前記電子閃光装置とが同調可能な最速のシャッタ速度であるストロボ同調秒時を設定し、且つその設定されたストロボ同調秒時と前記発光プロフィールに関する情報とに基づいて前記電子カメラの露光と前記電子閃光装置の閃光発光とのタイミングを制御する制御手段とを備えたことを特徴とする。
【００１７】
なお、好ましくは、前記測定手段は、前記カメラの露出用測光手段を用いて、前記発光プロフィールを前記カメラのレンズを介して測定しても良い。
また、好ましくは、前記発光プロフィールに関する情報には、少なくとも、閃光の発光時間を示す閃光時間情報が含まれても良い。
【００１８】
また、好ましくは、前記発光プロフィールに関する情報には、少なくとも、発光開始の指示から発光開始までの遅延時間を示すディレイ時間情報が含まれ、前記制御手段は、前記ディレイ時間情報に応じて、前記カメラの露光と前記電子閃光装置の発光とのタイミングを制御しても良い。
【００１９】
また、好ましくは、前記発光プロフィールに関する情報には、少なくとも、閃光の光度がピークを迎えるまでに要す時間を示すピーク到達時間情報が含まれ、前記制御手段は、前記ピーク到達時間情報に応じて、前記カメラの露光と前記電子閃光装置の発光とのタイミングを制御しても良い。
また、好ましくは、前記発光プロフィールに関する情報には、少なくとも、発光開始の指示から閃光の光度がピークに達し、さらに、所定の光度に減少するまでに要す時間を示す時間情報が含まれても良い。
また、好ましくは、前記発光プロフィールに関する情報には、少なくとも、発光開始から閃光の光度がピークに達し、さらに、所定の光度に減少するまでに要す時間を示す時間情報が含まれても良い。
また、好ましくは、前記電子閃光装置として、種類の異なる複数の電子閃光装置を前記カメラに着脱可能であっても良い。
【００２０】
【発明の実施の形態】
以下、図面を参照して本発明の実施形態について説明する。
＜第１実施形態＞
図１、図２、図３、図４を参照して本発明の第１実施形態について説明する。
図１は、本実施形態のカメラシステムの概略構成図である。
【００２１】
カメラシステムは、カメラ本体１、撮影レンズ２、電子閃光装置３からなる。例えば、撮影レンズ２と電子閃光装置３とは、カメラ本体１に対し着脱可能である。
また、図１に示すカメラ本体１は、例えば、一眼レフレックスカメラであり、ミラー４が破線で示したミラーダウン状態となることにより、撮影が不可となると共にユーザによる被写体の目視が可能となる。また、ミラー４が実線で示したミラーアップ状態となることにより、撮影が可能となる。
【００２２】
非撮影時に、撮影レンズ２を透過した光束は、ミラーダウン状態のミラー４にて反射され、スクリーン１０、ペンタプリズム９を介して接眼レンズ１１に導かれる。
なお、非撮影時に、ミラー４で反射した光束の一部の光は、スクリーン１０、ペンタプリズム９、集光レンズ１２を介して露出演算用測光素子８に導かれる。露出演算用測光素子８の出力は、露出演算（シャッタ速度ＴＶや絞り値ＡＶの決定）の際に参照される。因みに、この露出演算用測光素子８は、測光を、被写界の複数の分割領域のそれぞれについて行うことができ（分割測光）、露出演算を、被写界の明るさ分布に応じて行うことを可能とする。
【００２３】
撮影時には、撮影レンズ２内の絞り１４が絞り込まれた後、シャッタ５の先幕（不図示）の走行によりフィルム６の露光が開始される。このとき、ミラー４はミラーアップ状態となっており、撮影レンズ２を通過した被写体光は、フィルム６上に結像される。そして、電子閃光装置３が本発光して被写体を照明し、その後、電子閃光装置３の発光が停止し、さらに、シャッタ５の後幕（不図示）の走行により露光が終了する。
【００２４】
因みに、シャッタ５の先幕の走行は、先幕マグネット（不図示）のＯＦＦによって、また、シャッタ５の後幕の走行は、後幕マグネット（不図示）のＯＦＦによって開始される。
ここで、本実施形態のカメラシステムには、ＴＴＬ自動調光システムが適用されており、上記の本発光中に、フィルム６上に結像された光の一部はフィルム６上で反射され、集光レンズ１３を介して調光用測光素子７上に結像される。この調光用測光素子７による測光は、この本発光中に継続して行われ、実際の調光量が、予め決定された目標値に正確に一致するようなタイミングで、発光停止信号（後述）が発行される。因みに、調光用測光素子７は、被写界の明るさ分布に応じた調光（分割調光）を可能とする。
【００２５】
なお、上記本発光時における測光の各分割領域に対する重み付け量や感度を決定したり、調光量の目標値を決定したりするために、電子閃光装置３による予備発光が行われてもよい。
この予備発光による被写界からの反射光は、ミラー４がアップ状態となった後しかもシャッタ５が開く前にそのシャッタ５の幕面で反射され集光レンズ１３を介して調光用測光素子７上に結像される。
【００２６】
図２は、本実施形態のカメラシステムの制御系を示すブロック図である。
カメラ本体１には、ユーザインタフェースであるレリーズ釦２２、及びそのレリーズ釦２２の操作に応じてカメラ本体１のシーケンス制御を行うカメラＣＰＵ２１、ユーザの設定情報やカメラ製造時の調整データなどが格納されるＥＥＰＲＯＭ３２が備えられる。なお、ユーザの設定情報とは、例えば、ユーザが前回カメラシステムを使用した際の撮影モードなどであり、カメラ製造時の調整データとは、例えばカメラ本体１のデータ補正に関する情報などである。
【００２７】
また、カメラ本体１には、カメラＣＰＵ２１の制御下で動作する以下の各部が備えられる。
すなわち、カメラ本体１に備えられるのは、シャッタ５、電子閃光装置３内の閃光回路２９（後述）に発光信号（発光開始信号及び発光停止信号）を出力する発光制御回路２８、調光用測光素子７の出力信号に基づいて分割調光動作を行う信号処理回路である調光制御回路２７、露出演算用測光素子８の出力信号に基づいて分割測光動作を行う信号処理回路である露出制御用測光回路２６、装填されたフィルム６のＩＳＯ感度をＤＸコードから読み取るＩＳＯ感度検出回路３３、焦点検出を行いピントズレ量を出力する焦点検出用回路３４などである。
【００２８】
ここで、露出制御用測光用回路２６は、カメラＣＰＵ２１の指示により任意の分割された被写界の輝度情報をリアルタイムにアナログ電圧信号としてカメラＣＰＵ２１に出力する。カメラＣＰＵ２１は、このアナログ電圧信号をデジタルデータに変換するＡ／Ｄ変換器３５を内蔵する。
また、ＥＥＰＲＯＭ３２には、カメラ本体１が後述する方法で測定する電子閃光装置３の発光プロフィールに関する情報も格納される。発光プロフィールに関する情報とは、例えば、閃光所要時間Ｔｋなどである。
【００２９】
閃光所要時間Ｔｋは、発光開始信号の発行時を基準としても、実際の発光開始時を基準としても表すことができるが、以下の説明では、閃光所要時間Ｔｋを、発光開始信号の発行時を基準とし、その発行時から有効部分の全部が出現し終わるまでの時間とする。
【００３０】
なお、図２では図示を省略したが、カメラ本体１は、ユーザが後述する発光プロフィール情報測定モードを設定するための操作部を備えるものとする。
撮影レンズ２には、レンズの他、絞り１４、レンズＣＰＵ２３、及びレンズの撮影距離を検出するエンコーダ２４などが備えられる。レンズＣＰＵ２３内のレンズＲＯＭ２５には、レンズの開放絞り値、射出瞳距離の誤差など、撮影レンズ２に固有のレンズ情報が格納される。
【００３１】
電子閃光装置３には、閃光を発光する発光部３０、前記発光信号に応じて発光部３０を駆動する閃光回路２９、閃光装置ＣＰＵ３１などが備えられる。
そして、カメラ本体１内のカメラＣＰＵ２１には、撮影レンズ２内の絞り１４及びレンズＣＰＵ２３、及び電子閃光装置３内の閃光装置ＣＰＵ３１が接続され、レンズＣＰＵ２３からカメラＣＰＵ２１には、エンコーダ２４が検出する撮影距離やレンズ情報が送出され、閃光装置ＣＰＵ３１とカメラＣＰＵ２１との間では、お互いの設定情報などの情報が授受される。
【００３２】
次に、本実施形態における電子閃光装置３の発光プロフィールの測定方法について、図３に示すタイミングチャートを参照して説明する。
ユーザにより、不図示の操作部を介して発光プロフィール情報測定モードに設定された状態で、カメラシステムが壁などの適当な被写体に向けられ、レリーズ釦２２の全押し操作がなされると、カメラＣＰＵ２１は、以下の手順で電子閃光装置３の発光プロフィールを測定する。
【００３３】
１：カメラＣＰＵ２１は、露出制御用測光回路２６に対して、測光した輝度を、リアルタイムのアナログ電圧信号として出力するよう指示する（図３（１））。このような指示により露出制御用測光回路２６は、アナログ電圧信号の出力を開始する（図３（２））。
２：カメラＣＰＵ２１は、前記リアルタイムのアナログ電圧信号を一定時間間隔でサンプリングし始め、内部のＡ／Ｄ変換器３５を用いて、サンプリングした電圧信号をデジタルデータに変換する（図３（３））。
【００３４】
３：カメラＣＰＵ２１は、発光制御回路２８を介して、電子閃光装置３へ発光開始信号を発行する（図３（４））。
４：カメラＣＰＵ２１は、変換したデジタルデータをもとに、発光開始信号の発行から、閃光光度が増加し始める（図３（５））までの時間を演算して、ディレイ時間Ｔｄとする。
【００３５】
５：カメラＣＰＵ２１は、変換したデジタルデータをもとに、発光開始信号の発行から、閃光光度がピーク光度になり（図３（６））、さらに、そのピーク光度の１／２に減少する（図３（７））までの時間を演算して、閃光所要時間Ｔｋとする。
６：カメラＣＰＵ２１は、以上のデータを発光プロフィールに関する情報としてＥＥＰＲＯＭ３２に格納して発光プロフィールの測定を終了する。
【００３６】
後述したように、本実施形態のカメラＣＰＵ２１は、このような方法で測定した電子閃光装置３の発光プロフィールに関する情報に応じてストロボ同調秒時Ｔ０を認識するので、カメラＣＰＵ２１による制御は、電子閃光装置３の特性に応じたものとなる（詳細は後述する）。
さらに、本実施形態では、露光と発光とのタイミング制御を、電子閃光装置３の特性に対してより柔軟に適合させるために、発光プロフィールに関する情報としては、閃光所要時間Ｔｋだけでなく、ディレイ時間Ｔｄと有効閃光時間Ｔｆとを個別に示す詳細な情報が測定され、ＥＥＰＲＯＭ３２に格納されることが好ましい。以下、この詳細な情報が格納されるとして説明する。
【００３７】
ここで、ディレイ時間Ｔｄは、発光開始信号が発行されてから実際に閃光の発光が開始されるまでの遅延時間であり、有効閃光時間Ｔｆは、閃光の発光が開始されてから、閃光光度がピーク光度を経過してそのピーク光度の１／２になるまでの時間である。
【００３８】
次に、本実施形態のカメラＣＰＵ２１の制御下における各部の動作について説明する。なお、ここで説明するのは、閃光撮影時（閃光撮影モード設定時）の動作であり、それ以外の動作については、公知であるので、その説明を省略する。レリーズ釦２２の半押し操作に引き続いて全押し操作がなされると、ＩＳＯ感度検出回路３３からＩＳＯ感度ＳＶが読み込まれ、撮影レンズ２から、レンズ情報、撮影距離などが読み込まれる。また、これと同時に、電子閃光装置３から、設定情報などが読み込まれると共に、ＥＥＰＲＯＭ３２に格納されている発光プロフィールに関する情報が読み込まれる。
【００３９】
次に、露出制御用測光回路２６による被写界の分割測光が行われ、その分割測光の結果とＩＳＯ感度ＳＶとに基づく露出演算（ＥＶ＝ＢＶ＋ＳＶの式を使用するアペックス演算など）によって、シャッタ速度ＴＶや絞り値ＡＶが決定される。
図４は、本実施形態の露出演算に使用されるプログラム線図を示す図である。なお、図４では、プログラムモード、しかもＩＳＯ感度が１００である場合に使用されるプログラム線図の一例を示したが、以下の説明は、他のモード（絞り値優先モード、シャッタ速度優先モードなど）、ＩＳＯ感度が別の値である場合に使用される各プログラム線図についても、同様に当てはまる。
【００４０】
先ず、このプログラム線図は、閃光撮影用であるので、最速のシャッタ速度が、ストロボ同調秒時Ｔ０に一致している。
但し、本実施形態のストロボ同調秒時Ｔ０は、発光プロフィールに関する情報（前もって測定され、ＥＥＰＲＯＭ３２に格納されている）に応じた値となっている（詳細は後述）。
【００４１】
このように、電子閃光装置３の特性を反映したストロボ同調秒時Ｔ０によれば、シャッタ速度ＴＶや絞り値ＡＶの設定に、電子閃光装置３の特性が有効に利用されることとなる。
【００４２】
なお、図４では、比較のため、従来のあるカメラシステムで使用されていたプログラム線図を一緒に示した。図４中点線で示すのが本実施形態のプログラム線図であり、実線で示すのが従来のプログラム線図である。
従来のストロボ同調秒時Ｔ０’は、想定される最長の閃光所要時間を持つ電子閃光装置にも対処できるよう遅めの値に設定されるので、プログラム線図の最速のシャッタ速度も、遅めの値（１／１２５秒）に設定されている。したがって、シャッタ速度ＴＶや絞り値ＡＶの設定の自由度は、低い。
【００４３】
一方、本実施形態のストロボ同調秒時Ｔ０は、電子閃光装置３の特性に応じて設定されるので、プログラム線図の最速のシャッタ速度も、最適値（１／２５０秒）に設定されている。したがって、シャッタ速度ＴＶや絞り値ＡＶの設定の自由度は、従来よりも高くなる。
もし、閃光所要時間Ｔｋが想定される最長の閃光所要時間Ｔｋmaxより長かった場合でも、図４中破線で示したようにストロボ同調秒時を手振れ限界の低速リミット秒時までの範囲で設定することにより、シャッタ５の後幕の走行に閃光の発光が重なってしまうことが無くなるので、露光むらのある画像が取得されてしまうのを防ぐことができる。
【００４４】
なお、本実施形態のストロボ同調秒時Ｔ０については、閃光所要時間Ｔｋに応じた値（Ｔ０＝Ｔｓ１＋Ｔｋ）ではなく、有効閃光時間Ｔｆに応じた値（Ｔ０＝Ｔｓ１＋Ｔｆ）とされる。この場合、ストロボ同調秒時Ｔ０が、高速化されるので、シャッタ速度や絞り値の設定の自由度が、さらに高まる。
ここで、有効閃光時間Ｔｆに応じた値となるのは、後述するように、本実施形態における発光と露光とのタイミング制御が、発光プロフィールに関する情報のうち特にディレイ時間Ｔｄに応じた柔軟な制御となっているからである。
【００４５】
次に、ミラー４がアップ状態になると共に、撮影レンズ２内の絞り１４が、先に決定された絞り値ＡＶまで絞り込まれる。
続いて、電子閃光装置３による予備発光が行われ、このときの調光制御回路２７による分割測光の結果に基づき、各分割領域ごとの重み付け量や、本発光時の調光量の目標値が決定される。その目標値は、調光制御回路２７に対して設定される。
【００４６】
以上のように、絞り値ＡＶ、シャッタ速度ＴＶ、調光量の目標値などの各撮影条件が決定されると、発光と露光のタイミング制御が開始される。
図５は、本実施形態における発光と露光のタイミング制御を説明するタイミングチャートである。
先ず、先幕マグネットがオフされて（図５（１））シャッタ５の先幕の走行が開始される。
【００４７】
さらにその後、発光開始信号が発行される（図５（２））。
但し、本実施形態では、発光開始信号の発行（図５（２））は、先幕マグネットがオフされて（図５（１））から、時間（Ｔｓ１−Ｔｄ）だけ経過した後である。
したがって、本実施形態において、閃光の発光が実際に開始される（図５（３））のは、シャッタ５が全開した時点（図５（４））に一致する。
【００４８】
なお、発光開始信号の発行（図５（２））と同時（又はシャッタ５の全開及び発光開始と同時）に、本発光時における測光が開始される。
その後、測光される量が調光量の目標値と同じ値を示した時点で、発光停止信号が発行され（図５（５））、閃光の発光が停止する（なお、図５において、Ｔｃで示すのが調光時間である。）。
【００４９】
さらに時間が経過して、先幕マグネットがオフされた時点（図５（１））から前記決定されたシャッタ速度ＴＶだけ時間が経過した時点で、後幕マグネットがオフされる（図５（６））。
これによって、シャッタ５の後幕が走行し、閃光撮影は終了する。
【００５０】
すなわち、本実施形態では、発光開始信号の発行（図５（２））が、シャッタ５が全開する（図５（４））よりも前、しかも、ディレイ時間Ｔｄに応じた時間（Ｔｓ１−Ｔｄ）だけ前となるので、実際の発光開始（図５（３））が、シャッタ５の全開（図５（４））と同時になる。
この結果、閃光の有効部分の全部が利用されるようなシャッタ速度ＴＶのうち最速のものであるストロボ同調秒時Ｔ０には、ディレイ時間Ｔｄが含まれないこととなる。すなわち、ストロボ同調秒時Ｔ０は、ディレイ時間Ｔｄに依らず、Ｔ０＝Ｔｓ１＋Ｔｆとなる。
【００５１】
したがって、本実施形態では、仮に、電子閃光装置３のディレイ時間Ｔｄが長かったとしても、ストロボ同調秒時Ｔ０は高速化される。
なお、図５では、シャッタ速度ＴＶがストロボ同調秒時Ｔ０に等しい場合を示した。
以上、本実施形態では、前もって測定した発光プロフィールに関する情報に応じて、電子閃光装置３の特性を反映したストロボ同調秒時Ｔ０が採用されるので、シャッタ速度ＴＶや絞り値ＡＶの設定に電子閃光装置３の特性が有効に利用される。そのため、ストロボ同調秒時が高速化でき、また、電子閃光装置３の閃光所要時間Ｔｋが想定される最長の閃光所要時間Ｔｋmaxよりも長かった場合に、シャッタ５の後幕の走行に閃光の発光が重なってしまうことが無くなるので、露光むらのある画像が取得されてしまうのを防ぐことができる。
【００５２】
なお、言うまでもないが、本実施形態において、電子閃光装置３の特性を利用できるという効果については、発光プロフィールに関する情報として閃光所要時間Ｔｋのみを前もって測定してＥＥＰＲＯＭ３２に格納し、かつストロボ同調秒時Ｔ０をＴ０＝Ｔｓ１＋Ｔｋと認識するだけでも、得ることができる。この場合、発光プロフィールに関する情報として測定すべき情報は、閃光所要時間Ｔｋのみでもよい。
【００５３】
＜第２実施形態＞
図３、図６、図７、図８、図９を参照して本発明の第２実施形態について説明する。
ここでは、第１実施形態との相違点についてのみ説明し、その他の説明を省略する。
【００５４】
図６は、本実施形態のカメラシステムの概略構成図である。図７は、本実施形態のカメラシステムの制御系を示すブロック図である。
本実施形態のカメラシステムにおいて、第１実施形態のカメラシステムとの相違点は、カメラ本体１’が電子カメラであると共に、これに伴い、電子閃光装置３’が電子カメラ対応の電子閃光装置となっている点にある。
【００５５】
カメラ本体１’は、第１実施形態のカメラ本体１において、フィルム６に代えてＣＣＤ撮像素子（ＣＣＤ）１５が備えられ、カメラ本体１’には、ＣＣＤ１５の出力信号に対し処理を施す画像処理回路３６、及び画像データを格納するメモリ３７などが付加され、ＩＳＯ感度検出回路３３が省略されたものである。
なお、シャッタ５’は、シャッタ５と同じものであってもよいが、カメラ本体１’においては、露光制御が電子シャッタにより行われるので、単一の幕からなるシャッタ（幕開マグネット（不図示）のＯＦＦにより開放され、かつ、幕閉マグネット（不図示）のＯＦＦにより閉鎖されるようなシャッタ）であるのが一般的である。
【００５６】
電子閃光装置３’は、電子閃光装置３において、測光回路３８が付加されたものである。
また、本実施形態のカメラシステムにおいては、ＣＣＤ１５がフィルム６のような反射特性を有していないことから、本発光時における測光は、調光用測光素子７が行う代わりに、電子閃光装置３’に備えられた測光回路３８が行う。なお、測光回路３８は、被写界の明るさではなく、電子閃光装置３’による発光光量を直接測光するものであるので、本実施形態における本発光でモニタされるのは、調光量に代えて発光量である。そして、発光量の目標値は、予備発光時を基準とした倍数として表される。
【００５７】
以下、本実施形態のカメラＣＰＵ２１’の制御下における各部の動作について説明する。
先ず、本実施形態では、露光制御がメカシャッタ（シャッタ５）により行われる第１実施形態とは異なり、露光制御が電子シャッタにより行われるので、ストロボ同調秒時Ｔ０は、シャッタの幕速度Ｔｓ１に依らず、Ｔ０＝Ｔｆであるとの認識がなされる。
【００５８】
次に、本実施形態における電子閃光装置３’の発光プロフィールの測定方法について、図３に示すタイミングチャートを参照して説明する。
ユーザにより、不図示の操作部を介して発光プロフィール情報測定モードに設定された状態で、カメラシステムが壁などの適当な被写体に向けられ、レリーズ釦２２の全押し操作がなされると、カメラＣＰＵ２１’は、以下の手順で電子閃光装置３’の発光プロフィールを測定する。
【００５９】
１：カメラＣＰＵ２１’は、露出制御用測光回路２６に対して、測光した輝度を、リアルタイムのアナログ電圧信号として出力するよう指示する（図３（１））。このような指示により露出制御用測光回路２６は、アナログ電圧信号の出力を開始する（図３（２））。
２：カメラＣＰＵ２１’は、前記リアルタイムのアナログ電圧信号を一定時間間隔でサンプリングし始め、内部のＡ／Ｄ変換器３５を用いて、サンプリングした電圧信号をデジタルデータに変換する（図３（３））。
【００６０】
３：カメラＣＰＵ２１’は、発光制御回路２８を介して、電子閃光装置３’へ発光開始信号を発行する（図３（４））。
４：カメラＣＰＵ２１’は、変換したデジタルデータをもとに、発光開始信号の発行から、閃光光度が増加し始める（図３（５））までの時間を演算して、ディレイ時間Ｔｄとする。
【００６１】
５：カメラＣＰＵ２１’は、変換したデジタルデータをもとに、発光開始信号の発行から、閃光光度がピーク光度になる（図３（６））までの時間を演算して、ピーク到達時間Ｔｐとする。
６：カメラＣＰＵ２１’は、変更したデジタルデータをもとに、発光開始信号の発行から、閃光光度がピーク光度になり、さらに、そのピーク光度の１／２に減少する（図３（７））までの時間を演算して、閃光所要時間Ｔｋとする。
【００６２】
７：カメラＣＰＵ２１’は、以上のデータを発光プロフィールに関する情報としてＥＥＰＲＯＭ３２に格納して発光プロフィールの測定を終了する。
後述したように、本実施形態のカメラＣＰＵ２１’は、このような方法で測定した電子閃光装置３’の発光プロフィールに関する情報に応じてストロボ同調秒時Ｔ０を認識するので、カメラＣＰＵ２１’による制御は、電子閃光装置３’の特性に応じたものとなる。
【００６３】
図８は、本実施形態における発光と露光のタイミング制御を説明するタイミングチャートである。なお、本実施形態の露光制御は、電子シャッタにより行われるので、シャッタ速度（露光時間）の確保は、シャッタ５’の幕が開放（幕開マグネットＯＦＦ）されてから、シャッタ５’の幕が閉鎖（幕閉マグネットＯＦＦ）されるまでの期間に、ＣＣＤ１５に対し電荷蓄積の開始及び停止の制御信号が与えられることによって実現する。
【００６４】
このような本実施形態においても、発光開始信号の発行（図８（１））は、露光が開始される（図８（２））よりも前、しかも、ディレイ時間Ｔｄに応じた時間（Ｔｓ１−Ｔｄ）だけ前となる。
したがって、本実施形態においても、露光と発光とのタイミング制御が、ディレイ時間Ｔｄに応じた柔軟な制御となる。ストロボ同調秒時Ｔ０がディレイ時間Ｔｄに依らず高速化（Ｔ０＝Ｔｆ）されているのは、このためである。
【００６５】
次に、本実施形態のカメラシステムは、特に、シャッタ速度ＴＶが、ストロボ同調秒時Ｔ０よりも速いとき（ＴＶ＜Ｔ０）には、以下の動作をする。
図９は、本実施形態において、ＴＶ＜Ｔ０が成立するときの発光と露光のタイミング制御を説明するタイミングチャートである。
このときには、電子シャッタの特徴のうち、「シャッタ５’の幕が走行中又は開放中であったとして、ＣＣＤ１５の電荷蓄積が開始される以前であれば、たとえ閃光が発光されたとしてもその閃光は露光に影響を与えない」という特性が利用され、タイミング制御は、閃光のうち最も効率良く被写体を照明できる部分であるピーク近傍を、ＣＣＤ１５の電荷蓄積時間（露光時間）内に割り当てるものである。
【００６６】
例えば、発光開始信号の発行（図９（１））後、ディレイ時間Ｔｄだけ経過すると、閃光の発光が開始される（図９（２））が、本実施形態では、その発光開始の時点（図９（２））からさらに、Ｔｐ−（ＴＶ（Ｔｐ／Ｔｆ））だけ経過した時点で、撮像素子の制御信号が発行されて電荷蓄積が開始される（図９（３））。
【００６７】
このようなタイミング制御によると、閃光のピークは、電荷蓄積が開始された後、ＴＶ（Ｔｐ／Ｔｆ）だけ経過したときに出現するので、露光に使用されるのは、そのピーク近傍（図９中「使用部分」）となる。
したがって、被写体を効率良く照明できる。
以上、本実施形態では、前もって測定した発光プロフィールに関する情報に応じて、電子閃光装置３’の特性を利用して、シャッタ速度ＴＶがストロボ同調秒時Ｔ０よりも速いときに、被写体をなるべく効率よく照明するよう発光と露光とのタイミングが制御される。
【００６８】
したがって、ストロボ同調秒時Ｔ０よりも速いシャッタ速度の下において、しかも、ＦＰ発光などの消費電力の高い特殊な発光方法を使用していないにも拘わらず、従来よりも高い露出の画像を取得することが可能となった。
【００６９】
＜その他の実施形態＞
なお、上記各実施形態では、発光プロフィールの測定のための測光用素子として、露出用測光素子を兼用するカメラシステムを説明したが、露出用測光素子がＣＣＤなどの蓄積型センサである場合、これとは別に発光プロフィールの測定のための測光用素子を、カメラシステムに搭載すればよい。
【００７０】
また、上記各実施形態では、発光プロフィールに関する情報として、ディレイ時間Ｔｄと有効閃光時間Ｔｆや、ピーク到達時間Ｔｐなどを説明したが、例えば、発光プロフィールの測定に際して得られる全てのデータをＥＥＰＲＯＭに格納しておき、露光時間中に露光と発光とのタイミングを、より柔軟に制御することも可能である。
【００７１】
また、上記各実施形態では、発光プロフィール情報測定モードに設定するための操作部を備え、そのモードに設定された状態でレリーズ釦の全押し操作がなされると、発光プロフィールの測定を開始する例を説明したが、従来よりカメラシステムが備えている何れかの操作部を発光プロフィール情報測定モード設定用として兼用しても良いし、釦などの専用の操作部を設け、その操作部が操作されると、発光プロフィール情報測定モードが設定され、発光プロフィールの測定が開始されるようにしても良い。
【００７２】
さらに、本発明は、露光制御がレンズシャッタにより行われるカメラシステムにも適用することができる。
【００７３】
【発明の効果】
以上説明したように、本発明によれば、電子閃光装置の発光プロフィールに関する情報を前もって測定することにより、その時に装着されている電子閃光装置の特性を、カメラの制御に、有効に利用することが可能となる。
【００７４】
特に、発光と露光とのタイミング制御を、前もって測定した電子閃光装置の発光プロフィールに関する情報に応じて行えば、ストロボ同調秒時を高速化することが可能であり、また、露光むらのある画像が取得されてしまうのを防ぐことができる。
【図面の簡単な説明】
【図１】第１実施形態のカメラシステムの概略構成図である。
【図２】第１実施形態のカメラシステムの制御系を示すブロック図である。
【図３】第１実施形態における発光プロフィールの測定方法について説明するタイミングチャートである。
【図４】第１実施形態の露出演算に使用されるプログラム線図を示す図である。
【図５】第１実施形態における発光と露光のタイミング制御を説明するタイミングチャートである。
【図６】第２実施形態のカメラシステムの概略構成図である。
【図７】第２実施形態のカメラシステムの制御系を示すブロック図である。
【図８】第２実施形態における発光と露光のタイミング制御を説明するタイミングチャートである。
【図９】第２実施形態において、ＴＶ＜Ｔ０が成立するときの発光と露光のタイミング制御を説明するタイミングチャートである。
【図１０】従来のカメラシステムにおけるストロボ同調秒時を説明する図である。
【図１１】従来の電子カメラシステムにおけるストロボ同調秒時を説明する図である。
【符号の説明】
１，１’  カメラ本体
２  撮影レンズ
３，３’  電子閃光装置
４  ミラー
５，５’  シャッタ
６  フィルム
７  調光用測光素子
８  露出演算用測光素子
９  ペンタプリズム
１０  スクリーン
１１  接眼レンズ
１２，１３  集光レンズ
１４  絞り
１５  ＣＣＤ撮像素子（ＣＣＤ）
２１，２１’  カメラＣＰＵ
２２  レリーズ釦
２３  レンズＣＰＵ
２４  エンコーダ
２５  レンズＲＯＭ
２６  露出制御用測光回路
２７  調光制御回路
２８  発光制御回路
２９  閃光回路
３０  発光部
３１  閃光装置ＣＰＵ
３２  ＥＥＰＲＯＭ
３３  ＩＳＯ感度検出回路
３４  焦点検出用回路
３５  Ａ／Ｄ変換器
３６  画像処理回路
３７  メモリ
３８  測光回路
【図１】
0004151264.tif 000002
【図２】
0004151264.tif 000003
【図３】
0004151264.tif 000004
【図４】
0004151264.tif 000005
【図５】
0004151264.tif 000006
【図６】
0004151264.tif 000007
【図７】
0004151264.tif 000008
【図８】
0004151264.tif 000009
【図９】
0004151264.tif 000010
【図１０】
0004151264.tif 000011
【図１１】
0004151264.tif 000012